(57)【特許請求の範囲】
【請求項１】
フェース面に複数本のスコアラインが形成されたゴルフクラブヘッドにおいて、
前記フェース面に形成され、トウ側からヒール側へ延設された複数本の細溝を備え、
各々の前記細溝の断面形状が、
その幅方向の仮想中心線に対して非対称の三角形であって、３つの内角のうちの最小内角が前記ゴルフクラブヘッドのソール側に位置した三角形であり、
前記フェース面から各々の前記細溝の最深部までの深さＤが、
１０μｍ≦Ｄ≦２５μｍ
であり、
前記細溝間のピッチＰが、
１００μｍ≦Ｐ≦８００μｍ
であり、
前記フェース面の前記細溝を形成した部分の算術平均粗さＲａが、
１．０μｍ≦Ｒａ≦４．５７μｍ
であることを特徴とするゴルフクラブヘッド。
【請求項２】
前記フェース面を構成するフェース部材と、
前記フェース部材が接合される、前記フェース部材とは別部材のヘッド本体と、
を備えたことを特徴とする請求項１に記載のゴルフクラブヘッド。
【請求項３】
前記細溝が、
一端において前記フェース面と連続する第１の側面と、
一端において前記第１の側面と連続し、他端において前記フェース面と連続する第２の側面と、を有し、
前記第１の側面と前記第２の側面との境界部分に丸みを持たせたことを特徴とする請求項１に記載のゴルフクラブヘッド。
【請求項４】
前記細溝が、
一端において前記フェース面と連続する第１の側面と、
一端において前記第１の側面と連続し、他端において前記フェース面と連続する第２の側面と、を有し、
前記第１の側面と前記フェース面との内角が９０度未満であることを特徴とする請求項１に記載のゴルフクラブヘッド。
【請求項５】
前記スコアラインの断面積Ａ（inch2）と、３０度測定法により測定した前記スコアラインの幅Ｗ（inch）と、隣接する前記スコアラインの距離Ｓ（inch）とが、
Ａ／（Ｗ＋Ｓ）≦０．００３
であり、
前記スコアラインの縁を、
前記スコアラインの側面と前記フェース面とに内接する半径０．０１０インチの第１仮想円と同心であって、半径０．０１１インチの第２仮想円の内側に位置するように形成したことを特徴とする請求項１に記載のゴルフクラブヘッド。
【請求項６】
前記スコアラインの断面積Ａ（inch2）と、３０度測定法により測定した前記スコアラインの幅Ｗ（inch）と、隣接する前記スコアラインの距離Ｓ（inch）とが、
Ａ／（Ｗ＋Ｓ）≦０．００２５
であり、
前記スコアラインの縁を、
前記スコアラインの側面と前記フェース面とに内接する半径０．０１０インチの第１仮想円と同心であって、半径０．０１１インチの第２仮想円の内側に位置するように形成したことを特徴とする請求項１に記載のゴルフクラブヘッド。
【発明の詳細な説明】
【技術分野】
【０００１】
本発明はゴルフクラブヘッドに関するものである。
【背景技術】
【０００２】
一般に、ゴルフクラブヘッドのフェース面にはトウ−ヒール方向に互いに平行な複数の直線状の溝が形成されている。この溝はスコアライン、マーキングライン、フェースライン等と呼ばれている（本書においてはスコアラインと称する。）。このスコアラインは、打球のバックスピン量を増大させたり、或いは、雨天時やラフからのショットの場合に、打球のバックスピン量が著しく低減することを抑制する効果がある。
【０００３】
特許文献１及び２には、スコアラインに類する溝として断面を三角形とした溝をフェース面に形成したゴルフクラブヘッドが開示されている。特許文献３及び４には、断面を三角形とした溝をフェース面に形成したゴルフクラブヘッド（パターヘッド）が開示されている。特許文献５及び６には、複数のリブを有するパッドをフェース面に貼り付けたゴルフクラブヘッドが開示されている。また、特許文献７には、スコアラインとは別にスコアラインよりも小さな溝をフェース面に形成したゴルフクラブヘッドが開示されている。
【０００４】
【特許文献１】米国特許第３８６９１２６号明細書
【特許文献２】米国特許第５０２９８６４号明細書
【特許文献３】米国特許第５６１８２３９号明細書
【特許文献４】米国特許第５７０９６１６号明細書
【特許文献５】米国特許第５６８８１９０号明細書
【特許文献６】米国特許第５６９０５６１号明細書
【特許文献７】特開平９−２５３２５０号公報
【発明の開示】
【発明が解決しようとする課題】
【０００５】
スコアラインの工夫により、打球のバックスピン量を増大させることには限界がある。特許文献７のゴルフクラブヘッドのように、スコアラインとは別の溝を設けることは、打球のバックスピン量を増大させることに有効である。しかし、スコアラインとは別の溝を設けた場合、ボールに傷がつく場合がある。
【０００６】
本発明の目的は、ボールに傷がつくことを抑制しながら、より高いバックスピン量が得られるゴルフクラブヘッドを提供することにある。
【課題を解決するための手段】
【０００７】
本発明によれば、フェース面に複数本のスコアラインが形成されたゴルフクラブヘッドにおいて、前記フェース面に形成され、トウ側からヒール側へ延設された複数本の細溝を備え、各々の前記細溝の断面形状が、その幅方向の仮想中心線に対して非対称の三角形であって、３つの内角のうちの最小内角が前記ゴルフクラブヘッドのソール側に位置した三角形であり、前記フェース面から各々の前記細溝の最深部までの深さＤが、１０μｍ≦Ｄ≦２５μｍであり、前記細溝間のピッチＰが、１００μｍ≦Ｐ≦８００μｍであり、前記フェース面の前記細溝を形成した部分の算術平均粗さＲａが、１．０μｍ≦Ｒａ≦４．５７μｍであることを特徴とするゴルフクラブヘッドが提供される。
【発明の効果】
【０００８】
本発明によれば、ボールに傷がつくことを抑制しながら、より高いバックスピン量が得られるゴルフクラブヘッドを提供することができる。
【発明を実施するための最良の形態】
【０００９】
図１は本発明の一実施形態に係るゴルフクラブヘッド１の外観図である。同図の例はアイアン型のゴルフクラブヘッドに本発明を適用した例を示す。本発明は、アイアン型のゴルフクラブヘッド、特に、ミドルアイアン、ショートアイアン、ウェッジ型のゴルフクラブヘッドに好適であり、具体的には、ロフト角が３０度以上７０度以下、ヘッド重量が２４０ｇ以上３２０ｇ以下のゴルフクラブヘッドに好適である。しかし、本発明はウッド型やユーティリティー型（ハイブリッド型）のゴルフクラブヘッドにも適用できる。
【００１０】
ゴルフクラブヘッド１は、そのフェース面（打撃面）１０に複数本のスコアライン２０が形成されている。各々のスコアライン２０はトウ−ヒール方向に延設された、互いに平行な直線状の溝である。また、フェース面１０には、複数本の細溝３０が形成されている。本実施形態の場合、細溝３０はスコアライン２０と平行にトウ−ヒール方向に延設された直線状の溝であるが、トウ−ヒール方向に延設された円弧状又は楕円弧状の溝としてもよい。図２は、スコアライン２０及び細溝３０の、その長手方向（トウ−ヒール方向）に直交する方向の断面図及び細溝３０の拡大断面図である。図中、破線１０'はフェース面１０と同一の平面上の仮想線を示す。まず、スコアライン２０について説明する。
【００１１】
本実施形態において、スコアライン２０の断面形状は、その長手方向の両端部を除き、同じである。また、各々のスコアライン２０の断面形状は同じである。更に、本実施形態の場合、スコアライン２０の断面形状は、その幅方向の仮想中心線ＣＬａに対して対称である。仮想中心線ＣＬａはフェース面１０に直交し、スコアライン２０の幅Ｗの中点を通る線である。本実施形態の場合、スコアライン２０の断面形状は台形状であるが、Ｖ字形状等、他の形状でもよい。
【００１２】
スコアライン２０は、一対の側面２２及び底面２３を有する。スコアライン２０の縁２１は側面２２とフェース面１０との境界部分である。この縁２１には丸みを設けてもよい。角度θは側面２２とフェース面１０とがなす角度である。角度θが大きいほど打球のスピン量が高くなる。底面２３はフェース面１０と平行である。深さＤ０はフェース面１０からスコアライン２０の最深部である底面２３までの距離である。競技用ゴルフクラブヘッドの場合、ルール上、深さＤ０は０．０２０インチ（０．５０８ｍｍ）以下としなければならない。
【００１３】
図３は３０度測定法によるスコアライン２０の幅Ｗ及びスコアライン２０間の距離Ｓの説明図である。幅Ｗは、競技用ゴルフクラブのルールの、いわゆる３０度測定法により測定した場合の幅を意味する。すなわち、フェース面１０から３０度傾斜した仮想線と、スコアライン２０の縁２１との接点間の距離を意味する。各スコアライン２０間の距離Ｓは、隣接するスコアライン２０において、フェース面１０から３０度傾斜した仮想線と、スコアライン２０の縁２１との接点間の距離を意味する。
【００１４】
競技用ゴルフクラブヘッドの場合、スコアライン２０の断面積、幅Ｗ並びに距離Ｓが、ルール上、断面積Ａ（inch2）／（Ｗ（inch）＋Ｓ（inch））≦０．００３である必要がある（以下、面積ルールという）。なお、メートル単位の場合、断面積Ａ（mm2）／（Ｗ（mm）＋Ｓ（mm））≦０．０７６２である。ゴルフクラブヘッド１を競技用ゴルフクラブヘッドとする場合は、面積ルールを満たすように設計する。なお、断面積Ａ（inch2）／（Ｗ（inch）＋Ｓ（inch））≦０．００２５となるように設計すれば、より確実に面積ルールに適合させることができる。
【００１５】
競技用のゴルフクラブヘッドのスコアラインに関するルールとしては、面積ルール以外に、スコアラインの側面とフェース面とに内接する半径０．０１０インチの仮想円と同心であって、半径０．０１１インチの仮想円の内側に、スコアラインの縁が位置しなければならない（以下、２円ルールという。）。
【００１６】
しかし、２円ルールを満たすためには、スコアラインの側面とフェース面とがなす角度（上記の角度θ）を小さくせざるを得ない。この場合、スピン量が低下するだけでなく、スコアラインの容積も小さくなるため、ラフからのショットや雨天時のショットの場合にスピン量が著しく低下する畏れがある。
【００１７】
図４は、スコアライン２０の他の例（スコアライン２０'）を示す図である。以下、スコアライン２０'について、スコアライン２０と同様の構成については同じ符号を付して説明を割愛し、異なる構成についてのみ説明する。
【００１８】
図４において、仮想円Ｃ１は、側面２２とフェース面１０とに内接する半径０．０１インチの円であり、仮想円Ｃ２は、仮想円Ｃ１と同心であって、半径０．０１１インチの円である。上述した２円ルールに適合するためには、仮想円Ｃ２の内側にスコアラインの縁が位置している必要がある。
【００１９】
スコアライン２０'では縁の部分に平坦面２１'を設けることで、２円ルールを満たすようにしている。なお、縁２１'の形状としては、平坦面２１ａ以外に、丸み、切り欠きでもよい。ゴルフクラブヘッド１を競技用ゴルフクラブヘッドとする場合は、２円ルールも満たすように設計する。
【００２０】
次に、細溝３０について図２を参照して説明する。本実施形態の場合、多数の細溝３０がその長手方向と直交する方向（スコアライン２０の長手方向と直交する方向）に等ピッチで配列されている。しかし、細溝３０のピッチは等ピッチでなくてもよい。
【００２１】
細溝３０は側面３１と側面３２とを有する。細溝２０の断面形状は、その長手方向の両端部を除き、同じである。本実施形態の場合、各々の細溝３０の断面形状は同じであるが、断面形状が異なる細溝３０を組み合わせてもよい。
【００２２】
側面３１と側面３２とフェース面１０を示す破線１０'とにより規定される、細溝３０の断面形状は、その幅Ｗｓ方向の仮想中心線ＣＬｂに対して非対称な三角形である。仮想中心線ＣＬｂはフェース面１０に直交し、細溝３０の幅Ｗｓの中点を通る線である。側面３１と側面３２との交点部分には丸みを持たせてもよい。
【００２３】
側面３１と側面３２とフェース面１０を示す破線１０'とにより規定される、細溝３０の断面形状である三角形は３つの内角θ１乃至θ３を有する。内角θ１は側面３２と破線１０'との間の角度、内角θ２は側面３１と側面３２との間の角度、内角θ３は側面３１との間の角度である。３つの内角θ１乃至θ３のうち、角度が最小となる最小内角θ１は、ソール側に位置している。
【００２４】
このように、細溝３０の断面形状をその幅Ｗｓ方向の仮想中心線ＣＬｂに対して非対称な三角形とし、かつ、最小内角θ１をソール側に位置するようにすることで、側面３１の法線方向が、よりソール側を指向する。ゴルフクラブヘッド１をゴルフボールに対してダウンブロー気味に打ち込むと、側面３１がボール表面に引っかかり、打球のバックスピン量をより高くすることができる。
【００２５】
このように本実施形態では、スコアライン２０に加えて細溝３０により、打球のバックスピン量をより高くすることができる。
【００２６】
深さＤは、フェース面１０から細溝３０の最深部までの距離である。最深部は側面３１と側面３２との交点となり、深さＤは破線１０'から側面３１と側面３２との交点への垂線の長さである。深さＤをより深くすると、打球のバックスピン量がより高くなるが、打球に傷がつき易くなる。したがって、深さＤは４０μｍ以下とする。また、深さＤをより浅くすると、打球に傷がつき難くなるが、バックスピン量を高める効果が弱くなる。よって、深さＤは１０μｍ以上とする。
【００２７】
ピッチＰは、細溝３０の一端と、隣接する細溝３０の一端との間の距離である。ピッチＰや幅Ｗｓが狭いと、細溝３０に芝等が詰まりやすくなり、打球のバックスピン量が低下する。ピッチＰや幅Ｗｓが広いと、インパクト時にゴルフボールに接する細溝３０の数が減るので打球のバックスピン量が低下する。したがって、ピッチＰ及び幅Ｗｓは、１００μｍ以上８００μｍ以下であることが好ましい。
【００２８】
細溝３０は、その配列方向に連続的に形成してもよい。図５は細溝３０を、その配列方向に連続的に形成した例を示す細溝３０の断面図である。同図の例では、隣接する細溝３０が隙間無く繋がっており、連続的に形成されている。この場合、ピッチＰと幅Ｗｓとは一致する。
【００２９】
ショートアイアンやウェッジでは、そのフェース面を開いてゴルフボールにバックスピンがかかり易くなるようにショットする場合がある。図６（Ａ）はフェース面１０をターゲット方向に直角に向けた場合を示し、図６（Ｂ）はフェース面１０を開いた場合を示している。なお、図６（Ａ）及び図６（Ｂ）において細溝３０は図示省略されている。また、図６（Ａ）及び図６（Ｂ）において、矢印は打撃時のフェース面１０に対するゴルフボールＢの相対移動方向を示す。
【００３０】
図６（Ｂ）のようにフェース面１０を開いた場合、打撃時にゴルフボールＢはスコアライン２０及び細溝３０を斜めに横切るようにしてフェース面１０上を摺動することになる。細溝３０の長手方向に直交する方向（つまり、配列方向）が同図の矢印で示す方向と、より平行である方が、ゴルフボールＢが摺動する細溝３０の数が多くなり、ゴルフボールＢにバックスピンが係り易くなる。そこで、細溝３０をスコアライン２０と平行にせずに、交差するようにしてもよい。
【００３１】
図７は、細溝３０がスコアライン２０と交差したゴルフクラブヘッド２の外観図である。ゴルフクラブヘッド２は、ゴルフクラブヘッド１と細溝３０の配列方向ｄｒのみが異なる。同図の例において、配列方向ｄｒと、スコアライン２０の長手方向とがなす角度θｒは、スコアライン２０のトウ側から時計回りに見て約４５度である。このように細溝３０の配列方向ｄｒを設定することで、フェース面１０を開いた場合に打球のバックスピン量を高めることができる。
【００３２】
角度θｒは、例えば、２０度以上９０度以下の範囲で設定でき、ショートアイアンやウエッジの場合、フェース面１０を開く場合が多いことから、４０度以上７０度以下の範囲で設定することが望ましい。
【００３３】
次に、細溝３０はフェース面１０の表面粗さに影響する。表面粗さの指標としては、最大高さ（Ｒｙ）と、算術平均粗さ（Ｒａ）とが知られている。深さＤは、最大高さ（Ｒｙ）に関連する。また、深さＤ、幅Ｗｓ及びピッチＰは算術平均粗さ（Ｒａ）に関連する。算術平均粗さ（Ｒａ）は、これが大きいほど打球のバックスピン量がより高くなるが、打球に傷がつき易くなる。したがって、フェース面１０の細溝３０を形成した部分の算術平均粗さは５．０μｍ以下であることが好ましい。また、算術平均粗さ（Ｒａ）が小さいほど打球に傷がつき難くなるが、バックスピン量を高める効果が弱くなる。よって、フェース面１０の細溝３０を形成した部分の算術平均粗さは１．０μｍ以上であることが好ましく、更に好ましくは１．５μｍ以上である。
【００３４】
競技用のゴルフクラブヘッドでは、ルール上、フェース面の表面粗さが算術平均粗さ（Ｒａ）で４．５７μｍ以下、最大高さ（Ｒｙ）で２５μｍ以下であることが定められている。ゴルフクラブヘッド１及び２を競技用ゴルフクラブヘッドとする場合は、表面粗さのルールも満たすように設計する。
【００３５】
具体的には、深さＤは１０μｍ以上２５μｍ以下とする。フェース面１０の細溝３０を形成した部分の算術平均粗さは１．０μｍ以上４．５７μｍ以下とし、好ましくは、１．５μｍ以上４．５７μｍ以下である。
【００３６】
上記の通り、競技用ゴルフクラブヘッドでは、スコアライン２０及びフェース面の表面粗さについて一定の制約があり、ルールを満たした上で、バックスピン量を高めることは容易ではない。本実施形態では、細溝３０の断面形状をその幅Ｗｓ方向の仮想中心線ＣＬｂに対して非対称な三角形とし、かつ、最小内角θ１をソール側に位置するようにして、側面３１の法線方向が、よりソール側を指向するようにしたことで、ルールの制約の範囲内であっても、より高いバックスピン量を得ることができる。
【００３７】
次に、細溝３０の形成方法について説明する。細溝３０はフェース面１０に対するミーリング加工による切削跡として形成することができる。細溝３０のミーリング加工による形成は、例えばＮＣ（数値制御）フライス盤を用いて行なうことができる。図８（Ａ）及び（Ｂ）はＮＣフライス盤による細溝３０の形成方法の説明図である。
【００３８】
図８（Ａ）に示すように、細溝３０が未加工のゴルフクラブヘッド１'はＮＣフライス盤に治具２を介して固定される。なお、本実施形態の場合、フェース面１０がゴルフクラブヘッドに一体成形された場合について説明するが、フェース面１０を構成するフェース部材と、ヘッド本体とを別部材として接合してもよく、この場合、フェース部材をＮＣフライス盤に固定して細溝３０を形成すればよい。また、ゴルフクラブヘッド１'はスコアライン２０が形成済みのものを想定するが、スコアライン２０の形成前に細溝３０を形成してもよい。
【００３９】
ＮＣフライス盤は、Ｚ軸回りに回転駆動されるスピンドル４を有し、スピンドル４の下端には切削ツール（エンドミル）５が取り付けられている。スピンドル４（つまりＺ軸）は傾倒可能なものとする。また、図８（Ｂ）に示すように切削ツール５の先端形状は細溝３０の断面形状に応じたものを使用する。
【００４０】
しかして、ＮＣフライス盤において、フェース面１０の平面座標を設定した後、スピンドル４を回転駆動し、フェース面１０（ゴルフクラブヘッド１'）又は切削ツール５を細溝３０の形成方向に相対的に移動しながら、フェース面１０を切削する。一つの細溝３０を形成すると、切削ツール５をフェース面１０から離間させた後、細溝３０の配列方向に切削ツール５を相対的に移動し、次の細溝３０を形成することで、順次細溝３０が形成される。
【００４１】
なお、細溝３０の形成方法としては、ミーリング加工以外にも、放電加工や鋳造等、他の形成方法も採用可能である。
【００４２】
次に、フェース面１０に細溝３０を形成すると、フェース面１０の表面硬度が低下し、磨耗し易くなる場合がある。そのため、細溝３０の形成後、フェース面１０の硬度を硬くする表面処理を行うことが好ましい。このような表面処理としては、浸炭処理、窒化処理、軟窒化処理、ＰＶＤ（Physical Vepor Deposition）処理、イオンプレーティング、ＤＬＣ（ダイヤモンド  ライク  カーボン）処理、めっき処理等が挙げられる。特に、浸炭処理や窒化処理といった、表面に別の金属層を形成せず、表面を改質する表面処理が好ましい。
【実施例】
【００４３】
細溝の有無及び仕様が異なるゴルフクラブヘッド＃１〜＃３及び＃１１〜＃１７を作成し、これらを装着したゴルフクラブによりバックスピン量及び打球の傷つき具合を評価した。図９は各ゴルフクラブヘッド＃１〜＃３及び＃１１〜＃１７の細溝の有無及び仕様、バックスピン量及び打球の傷つき具合の評価結果及フェース面の表面粗さに関わるルール適合性を示す図である。
【００４４】
いずれのゴルフクラブヘッドも細溝の有無及び仕様のみが異なるサンドウェッジとした。＃１のゴルフクラブヘッドについては細溝を形成せず、＃２〜＃３及び＃１１〜＃１７のゴルフクラブヘッドについては細溝を形成した。細溝は図１のゴルフクラブヘッド１のように、スコアラインに平行に多数形成し、かつ、図５に示したように、配列方向に連続的に形成した。したがって、細溝の幅とピッチとは一致する。
【００４５】
図９において、「最小内角の位置」とは、図２に示した内角θ１〜θ３のうち、最小内角がどれであるかを示す。＃２及び＃３のゴルフクラブヘッドにおける「上部側」とは、図２においてθ３が最小内角であることを意味し、つまり、＃２及び＃３のゴルフクラブヘッドの細溝の断面形状は図２に示したものと上下が反転しているものに相当する。＃１１〜＃１７のゴルフクラブヘッドにおける「ソール側」とは、図２においてθ１が最小内角であることを意味し、つまり、＃１１〜＃１７のゴルフクラブヘッドの細溝の断面形状は図２に示したものに相当する。
【００４６】
「深さＤ」は、図２における深さＤに相当し、換言すれば、フェース面の表面粗さ（最大高さ：Ｒｙ）である。「ピッチＰ」は図２におけるピッチＰに相当し、上記の通り、＃２〜＃３及び＃１１〜＃１７のゴルフクラブヘッドは、細溝をその配列方向に連続的に形成しているため、ピッチＰは細溝の幅（図２、図５のＷｓ）でもある。「表面粗さ（Ｒａ）」は、フェース面の算術平均粗さである。
【００４７】
バックスピン量及び打球の傷つき具合の評価は、グリーンから約３０ヤード離れたラフから、１つのゴルフクラブについて複数個のゴルフボールをショットして評価した。図９における「スピン量」は、グリーン上での打球の止まり易さを観察して５段階（Ａ〜Ｅ）で評価した。Ａが最も打球が止まり易かった、つまり、バックスピン量が多かったことを意味する。「傷つき具合」は、ショット後のゴルフボールの傷を目視にて観察して評価した。「ルール適合」は、フェース面の表面粗さに関するルールの適合性を示し、算術平均粗さ（Ｒａ）が４．５７μｍ以下で、かつ、最大高さ（Ｒｙ）が２５μｍ以下であるものを適合（○）とし、そうでないものを不適合（×）とした。
【００４８】
＃１のゴルフクラブヘッドと他のゴルフクラブヘッドとの比較から、細溝の有無がバックスピン量に影響していることがわかる。また、＃２及び＃３のゴルフクラブヘッドと、＃１１〜＃１７のゴルフクラブヘッドとの比較から、最小内角がソール側に位置している断面形状を有する細溝の方がバックスピンがかかり易いことがわかる。
【００４９】
＃１１〜＃１７のゴルフクラブヘッドのうち、＃１３のゴルフクラブヘッドでは、バックスピン量は高いが、ゴルフボールにやや傷がついている。したがって、深さＤは４０μｍ以下であることが好ましく、ルール適合性を考慮すると、２５μｍ以下とする必要がある。また、＃１１のゴルフクラブヘッドではバックスピン量が余り高くなく、細溝の効果が薄い。したがって、深さＤは１０μｍ以上とすることで、バックスピン量をより高くすることができる。
【００５０】
＃１１〜＃１７のゴルフクラブヘッドについて、ピッチＰについて着目すると、＃１４〜＃１７のゴルフクラブヘッドにおいては、＃１４及び＃１７のゴルフクラブヘッドではバックスピン量が余り高くない。また、＃１５及び＃１６のゴルフクラブヘッドでは、より高いバックスピン量が得られている。したがって、ピッチＰは１００μｍ以上８００μｍ以下が好ましく、更に好ましくは４００μｍ以上６００μｍ以下である。
【００５１】
＃１１〜＃１７のゴルフクラブヘッドについて、表面粗さ（Ｒａ）について着目すると、値が大きいほどバックスピン量は高くなるが、＃１３のゴルフクラブヘッドでは、ゴルフボールにやや傷がついている。一方、＃１４のゴルフクラブヘッドでは傷がほとんどない。したがって、表面粗さ（Ｒａ）は５．０μｍ以下であることが好ましく、ルール適合性を考慮すると、４．５７μｍ以下である。また、＃１７のゴルフクラブヘッドでは、バックスピン量が余り高くない。したがって、表面粗さ（Ｒａ）は１．０μｍ以上であることが好ましい。
【図面の簡単な説明】
【００５２】
【図１】本発明の一実施形態に係るゴルフクラブヘッド１の外観図である。
【図２】スコアライン２０及び細溝３０の、その長手方向（トウ−ヒール方向）に直交する方向の断面図及び細溝３０の拡大断面図である。
【図３】３０度測定法によるスコアライン２０の幅Ｗ及びスコアライン２０間の距離Ｓの説明図である。
【図４】スコアライン２０の他の例（スコアライン２０'）を示す図である。
【図５】細溝３０を、その配列方向に連続的に形成した例を示す細溝３０の断面図である。
【図６】（Ａ）はフェース面１０をターゲット方向に直角に向けた場合を示し、（Ｂ）はフェース面１０を開いた場合を示している。
【図７】細溝３０がスコアライン２０と交差したゴルフクラブヘッド２の外観図である。
【図８】（Ａ）及び（Ｂ）はＮＣフライス盤による細溝３０の形成方法の説明図である。
【図９】各ゴルフクラブヘッド＃１〜＃３及び＃１１〜＃１７の細溝の有無及び仕様、バックスピン量及び打球の傷つき具合の評価結果及フェース面の表面粗さに関わるルール適合性を示す図である。
【符号の説明】
【００５３】
１  ゴルフクラブヘッド
１０  フェース面
２０  スコアライン
３０  細溝
【図１】
0005592065.tif 000002
【図２】
0005592065.tif 000003
【図３】
0005592065.tif 000004
【図４】
0005592065.tif 000005
【図５】
0005592065.tif 000006
【図６】
0005592065.tif 000007
【図７】
0005592065.tif 000008
【図８】
0005592065.tif 000009
【図９】
0005592065.tif 000010